【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
隣接するグルーブトラックおよびランドトラックを有し、該グルーブトラックおよび該ランドトラックに対して情報の記録あるいは再生を行うことのできる光情報記録媒体であって、
該グルーブトラックおよび該ランドトラックに関する識別情報を示すプリピット列が形成された識別信号領域と、
該識別信号領域より該トラックに沿って先行する位置に配置され、該グルーブトラックおよび該ランドトラックの何れか一方の中心線に関して反対側にシフトしたウォブルピットを有するサーボ制御領域と、
を備えた光情報記録媒体。
【請求項２】
前記ウォブルピットは、前記中心線に関して交互に反対側にシフトした複数対のピットを含む、請求項１に記載の光情報記録媒体。
【請求項３】
前記複数対のピットは再生同期信号を示す、請求項２に記載の光情報記録媒体。
【請求項４】
前記ウォブルピットの始端を示す同期信号部が、前記ウォブルピットの直前に配置されており、該同期信号部は、前記グルーブトラックまたは前記ランドトラックの中心線上に位置するピット列を含んでいる、請求項１に記載の光情報記録媒体。
【請求項５】
前記識別信号領域において、前記プリピット列の少なくとも一部は、前記グルーブトラックまたは前記ランドトラックの中心線からシフトした位置に形成されている、請求項１に記載の光情報記録媒体。
【請求項６】
前記識別信号領域は、トラック識別信号を示すピットを含んでいる、請求項１ら記載の光情報記録媒体。
【請求項７】
前記トラック識別信号を示すピットは、前記グルーブトラックまたは前記ランドトラックの中心線からシフトした位置に形成されている、請求項６に記載の光情報記録媒体。
【請求項８】
前記グルーブトラックおよび前記ランドトラックは、複数のセクタに分割されており、前記識別信号領域のプリビット列は、対応するセクタのアドレス情報を示すアドレスピット列を含んでいる、請求項１に記載の光情報記録媒体。
【請求項９】
前記グルーブトラックおよび前記ランドトラックは、ディスク基板上にスパイラル状もしくは同心円状に形成されている、請求項１に記載の光情報記録媒体。
【請求項１０】
前記識別情報はトラック番号を含んでいる、請求項１に記載の光情報記録媒体。
【請求項１１】
前記識別信号を示す前記プリピット列のうち、前記トラック番号を示す部分は、前記グルーブトラックまたは前記ランドトラックの中心線から該トラックを横切る方向にシフトしている請求項１０に記載の光情報記録媒体。
【請求項１２】
前記識別信号を示す前記プリピット列のうち、前記グルーブトラックまたは前記ランドトラックの中心線からシフトした位置に形成されているプリピットのシフト量は、トラックのピッチの略４分の１である請求項５に記載の光情報記録媒体。
【請求項１３】
前記識別信号を示す前記プリピット列の光学的な深さもしくは高さは、前記グルーブトラックの深さと略等しい請求項１に記載の光情報記録媒体。
【請求項１４】
前記識別信号を示す前記プリピット列の光学的な深さもしくは高さは、略λ／４（λは光ビームの波長）に等しい請求項１に記載の光情報記録媒体。
【請求項１５】
前記識別信号を示す前記プリピット列の幅は、前記グルーブトラックの幅に略等しい請求項１に記載の光情報記録媒体。
【請求項１６】
前記同期信号部のピット列もしくは前記識別信号を示すピット列の幅が、前記グルーブトラックの幅より大きい請求項１−２に記載の光情報記録媒体。
【請求項１７】
前記サーボ制御領域と前記識別信号領域との間に、ギャップ部が設けられている請求項１に記載の光情報記録媒体。
【請求項１８】
書き換え可能な記録層を備えており、該記録層は、アモルファス状態と結晶状態とを取り得る相変化型材料から形成されている請求項１記載の光情報記録媒体。
【請求項１９】
隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、該識別信号領域より該トラックに沿って先行する位置に配置され、該グルーブトラックおよび該ランドトラックの何れか一方の中心線に関して反対側にシフトしたウォブルピットを有するサーボ制御領域とを備えた光情報記録媒体に対して、光ビームを用いて、情報の記録／再生を行う光学的情報記録再生装置であって、
該光ビームが該光情報媒体上に形成する光スポットが該トラック上を移動している間に、該光スポットの該中心線からのシフト量を検出し、該シフト量を示す第１の誤差信号を出力する第１のトラッキング誤差検出回路と、
該光スポットが該サーボ制御領域を移動している間に、該ウォブルピットからの反射光強度を検出し、該光スポットの該中心線からのシフト量を検出し、該シフト量を示す第２の誤差信号を出力する第２のトラッキング誤差検出回路と
該第２の誤差信号に基づいて該第１の誤差信号を補正した第３のトラッキング信号を出力する補正回路と、
該第３のトラッキング信号に基づいて、トラッキングを行うトラッキング制御器と、
を備えている光学的情報記録再生装置。
【請求項２０】
隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、該識別信号領域より該トラックに沿って先行する位置に配置され、該グルーブトラックおよび該ランドトラックの何れか一方の中心線に関して反対側にシフトしたウォブルピットを有するサーボ制御領域とを備え、該ウォブルピットの始端を示す同期信号部が、該ウォブルピットの直前に配置されており、該同期信号部は、前記グルーブトラックまたは前記ランドトラックの中心線上に位置するピット列を含んでいる光情報記録媒体に対して、光ビームを用いて、情報の記録／再生を行う光学的情報記録再生装置であって、
光源からの光ビームを該光情報記録媒体に照射する光学系と、
該光ビームが該光情報記録媒体上に形成する光スポットを該トラックの延びる方向に沿って相対的に移動させる移送手段と、
該光情報記録媒体からの該光ビームの反射光を、複数の受光部で受光し、電気信号に変換して光検出信号として出力する光検出手段と、
該光検出信号から該識別信号を再生する識別信号読み取り手段と、
該光スポットが該トラック上を移動している間に、該光スポットの該中心線からのシフト量を検出し、該シフト量を示す第１の誤差信号を出力する第１のトラッキング誤差検出回路と、
該光スポットが該同期信号部上を移動するタイミングを該光検出信号から検出し、該タイミングを示す基準信号を出力する同期信号検出手段と、
該光スポットが該サーボ制御領域を移動している間に、該基準信号と該光検出信号とに基づいて、該光スポットの該中心線からのシフト量を検出し、該シフト量を示す第２の誤差信号を出力する第２のトラッキング誤差検出回路と
該第１の誤差信号および該第２の誤差信号に基づいて、第３の誤差信号を出力する合成手段と、
該第３の誤差信号に基づいて、該光スポットが該トラック上を移動するように該移送手段を制御するトラッキング制御手段と、
を備えたことを特徴とする光学的情報記録再生装置。
【請求項２１】
前記合成手段は、前記第１の誤差信号に前記第２の誤差信号を加算した結果を、前記第３の誤差信号として出力する請求項２１に記載の光学的情報記録再生装置。
【請求項２２】
前記合成手段は、
前記光スポットが前記識別信号領域を移動していることを検出し、該光スポットが該識別信号領域を移動している間、領域検出信号を出力する識別信号領域検出手段と、
該領域検出信号が出力されている間、該第３の誤差信号を保持する誤差信号保持手段と、
を備えた請求項２１に記載の光学的情報記録再生装置。
【請求項２３】
前記第２のトラッキング誤差検出手段は、前記基準信号が入力された時点から第一の時間間隔後における前記光検出信号の直流成分と、該時点から第二の時間間隔後における該光検出信号の直流成分との差分をとり、該差分から前記第２の誤差信号を生成する、請求項２１に記載の光学的情報記録再生装置。
【請求項２４】
前記光検出手段は、反射された前記光ビームを受光する面において、前記トラックを横切る方向に対称に配置され、受光した光量を電気信号に変換する２つの受光部を有し、
前記第１のトラッキング誤差検出手段は、該２つの受光部が出力する電気信号の差を求める差演算手段を備え、
前記第２のトラッキング誤差検出手段は、該２つの受光部が出力する該電気信号の和を求める和演算手段を備えている請求項２１に記載の光学的情報記録再生装置。
【請求項２５】
前記トラック上に情報信号を記録する記録手段と、
前記識別信号領域には該情報信号を記録しないよう該記録手段を制御する記録制御手段と、
を備えた請求項２１に記載の光学的情報記録再生装置。
【請求項２６】
隣接するグルーブトラックおよびランドトラックを有し、該グルーブトラックおよび該ランドトラックに対して情報の記録あるいは再生を行うことのできる光情報記録媒体であって、
該グルーブトラックおよび該ランドトラックに関する識別情報を示すプリピット列と、
該ブリピット列より該トラックに沿って先行する位置に配置され、該プリピット列の識別情報を再生するための再生同期信号を示す複数のピットと、
を備え、
該再生同期信号を示す複数のピットは、該グルーブトラックおよび該ランドトラックの何れか一方の中心線に関してシフトしている、光情報記録媒体。
【請求項２７】
前記グルーブトラックおよび前記ランドトラックは、複数のセクタに分割されており、前記識別信号を示すプリビット列は、対応するセクタのアドレス情報を示すアドレスピット列を含んでいる、請求項２６に記載の光情報記録媒体。
【請求項２８】
隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列と、該ブリピット列より該トラックに沿って先行する位置に配置され、該プリピット列の識別情報を再生するための再生同期信号を示す複数のピットと、を備え、該再生同期信号を示す複数のピットは、該グルーブトラックおよび該ランドトラックの何れか一方の中心線に関してシフトしている、光情報記録媒体に対して、光ビームを用いて、情報の記録／再生を行う光学的情報記録再生装置であって、
該再生同期信号を示す複数のピットからトラッキングオフセットを補償する回路を備えた光学的情報記録再生装置。
【請求項２９】
ディスク基板上に、スパイラル状もしくは同心円状に形成されたグルーブとランドの両方を情報トラックとし、複数の情報トラックからなる少なくとも一つのゾーンからなる光情報記録媒体であって、
該グルーブを少なくとも１周期蛇行させたサーボ制御領域と、
識別信号を示すプリピットが、隣合う該グルーブと該ランドの一組に対して一つ配置され、
該プリピットの一部もしくは全部の中心線を、該グルーブまたは該ランドの中心線に対して、情報トラックを横切る方向にずらした識別信号領域と、
該識別信号領域とは別に、光ビームの照射によって情報信号が記録される情報信号領域を有したことを特徴とする光情報記録媒体。
【請求項３０】
隣接するグルーブトラックおよびランドトラックを有し、該グルーブトラックおよび該ランドトラックに対して情報の記録あるいは再生を行うことのできる光情報記録媒体であって、
該グルーブトラックおよび該ランドトラックに関する識別情報を示すプリピット列が形成された識別信号領域と、光ビームの照射によって情報信号が記録される情報信号領域とを備え、
該識別信号を示すプリピット列は、
該隣接する２つのトラックからなる情報フィールドの順番を示すフィールド番号を示すフィールド番号プリピットと、該グルーブトラック及び該ランドトラックのうちの何れのトラック上を光ビームのスポットが移動しているかを検出するためのトラック識別プリピットとを含んでおり、
該フィールド番号プリピットは、該情報フィールドに含まれる該２つのトラックの略境界線上に形成されており、該トラックに垂直な方向に沿ったフィールド番号プリピットの周期は、トラックピッチの２倍に設定され、
トラック識別プリピットは、隣り合う２つの情報フィールドの略境界線上に形成されており、該トラックに垂直な方向に沿った該トラック識別プリピットの周期は、該トラックピッチの４倍に設定されている、光情報記録媒体。
【請求項３１】
前記トラック識別プリピットは、
前記フィールド番号プリピット列と同一直線上に配置された第１のトラック識識別子と、
該第１のトラック識別子に対して、トラック方向の前方に形成され、かつ、該トラックに垂直な方向に沿って隣接する該第１のトラック識別子の中間に配置された第２のトラック識別子と、
を含む請求項３０に記載の光情報記録媒体。
【請求項３２】
アモルファス状態と結晶状態との間で状態変化を起こす相変化型記録層を備えている請求項３０に記載の光情報記録媒体。
【請求項３３】
隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、光ビームの照射によって情報信号が記録される情報信号領域とを備え、該識別信号を示すプリピット列は、該隣接する２つのトラックからなる情報フィールドの順番を示すフィールド番号を示すフィールド番号プリピットと、該グルーブトラック及び該ランドトラックのうちの何れのトラック上を光ビームのスポットが移動しているかを検出するためのトラック識別プリピットとを含んでおり、該フィールド番号プリピットは、該情報フィールドに含まれる該２つのトラックの略境界線上に形成されており、該トラックに垂直な方向に沿ったフィールド番号プリピットの周期は、トラックピッチの２倍に設定され、トラック識別プリピットは、隣り合う２つの情報フィールドの略境界線上に形成されており、該トラックに垂直な方向に沿った該トラック識別プリピットの周期は、該トラックピッチの４倍に設定されている光情報記録媒体に対して、光ビームを用いて、情報の記録／再生を行う光学的情報記録再生装置であって、
光源からの光ビームを該光情報記録媒体に照射する光学系と、
該光情報記録媒体で反射された光ビームを受光し、電気信号に変換して光検出信号として出力する光検出手段と、
該光検出信号から該識別信号を読み出し、少なくとも該フィールド番号を出力する識別信号読み取り手段と、
該トラック識別プリピットからの信号を検出した場合に、識別子検出信号を出力するトラック識別子検出手段と、
を備えた光学的情報記録再生装置。
【請求項３４】
少なくとも一つのグルーブトラックを含む光情報記録媒体であって、該少なくとも一つのグルーブトラック上に情報を記録可能にし、または、該少なくとも一つのグルーブトラックから情報を再生可能にする光情報記録媒体であって、
該少なくとも一つのグルーブトラックは、該少なくとも一つのグルーブトラックのトラック中心から蛇行し、
一蛇行の長さは、ビームスポットの直径よりも長く、該ビームスポットのトラッキング制御が追随可能な最小の長さよりも短い、光情報記録媒体。
【請求項３５】
隣接する少なくとも一つのグルーブトラックおよび少なくとも一つのランドトラックを有し、該グルーブトラックおよび該ランドトラックに対して情報の記録あるいは再生を行うことのできる光情報記録媒体であって、
該グルーブトラックおよび該ランドトラックに関する識別情報を示すプリピット列と、
該プリピット列より該グループトラックおよび該ランドトラックに沿って先行する位置に配置され、該プリピット列の識別情報を再生するための再生同期信号を示す複数のピットと
を備え、
該再生同期信号を示す複数のピットは、該グルーブトラックおよび該ランドトラックの何れか一方の中心線に関して反対側にシフトするように配置される、光情報記録媒体。
【請求項３６】
前記グルーブトラックおよび前記ランドトラックは、複数のセクタに分割されており、前記識別信号領域にあるプリビット列は、対応するセクタのアドレス情報を示すアドレスピット列を含んでいる、請求項３５に記載の光情報記録媒体。
【請求項３７】
隣接する少なくとも一つのグルーブトラックおよび少なくとも一つのランドトラックを有し、該グルーブトラックおよび該ランドトラックに対して情報の記録あるいは再生を行うことのできる光情報記録媒体に光ビームで情報を記録／再生する光学的情報記録再生装置であって、
該光情報記録媒体は、該グルーブトラックおよび該ランドトラックに関する識別情報を示すプリピット列と、
該プリピット列より該グルーブトラックおよび該ランドトラックに沿って先行する位置に配置される複数のピットであって、該プリピット列の識別情報を再生するための再生同期信号を示す複数のピットと
を備え、
該再生同期信号を示す複数のピットは、該グルーブトラックと該ランドトラックとのいずれか一方の中心線に関して反対側にシフトするように配置され、
該再生同期信号を示す複数のピットに基づいてトラッキングオフセットを補償する回路を備えた光学的情報記録再生装置。
【手続補正２】
【補正対象書類名】明細書
【補正対象項目名】００１４
【補正方法】変更
【補正の内容】
【００１４】
【課題を解決するための手段】
本発明による光情報記録媒体は、隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、該識別信号領域より該トラックに沿って先行する位置に配置され、該グルーブトラックおよび該ランドトラックの何れか一方の中心線に関して反対側にシフトしたウォブルピットを有するサーボ制御領域とを備え、それにより上記目的を達成する。
前記ウォブルピットは、前記中心線に関して交互に反対側にシフトした複数対のピットを含んでもよい。
前記複数対のピットは再生同期信号を示してもよい。
前記ウォブルピットの始端を示す同期信号部が、前記ウォブルピットの直前に配置されており、該同期信号部は、前記グルーブトラックまたは前記ランドトラックの中心線上に位置するピット列を含んでいてもよい。
前記識別信号領域において、前記プリピット列の少なくとも一部は、前記グルーブトラックまたは前記ランドトラックの中心線からシフトした位置に形成されていてもよい。
前記識別信号領域は、トラック識別信号を示すピットを含んでいてもよい。
前記トラック識別信号を示すピットは、前記グルーブトラックまたは前記ランドトラックの中心線からシフトした位置に形成されていてもよい。
前記グルーブトラックおよび前記ランドトラックは、複数のセクタに分割されており、前記識別信号領域のプリビット列は、対応するセクタのアドレス情報を示すアドレスピット列を含んでいてもよい。
前記グルーブトラックおよび前記ランドトラックは、ディスク基板上にスパイラル状もしくは同心円状に形成されていてもよい。
前記識別情報はトラック番号を含んでいてもよい。
前記識別信号を示す前記プリピット列のうち、前記トラック番号を示す部分は、前記グルーブトラックまたは前記ランドトラックの中心線から該トラックを横切る方向にシフトしていてもよい。
前記識別信号を示す前記プリピット列のうち、前記グルーブトラックまたは前記ランドトラックの中心線からシフトした位置に形成されているプリピットのシフト量は、トラックのピッチの略４分の１であってもよい。
前記識別信号を示す前記プリピット列の光学的な深さもしくは高さは、前記グルーブトラックの深さと略等しくてもよい。
前記識別信号を示す前記プリピット列の光学的な深さもしくは高さは、略λ／４（λは光ビームの波長）に等しくてもよい。
前記識別信号を示す前記プリピット列の幅は、前記グルーブトラックの幅に略等しくてもよい。
前記同期信号部のピット列もしくは前記識別信号を示すピット列の幅が、前記グルーブトラックの幅より大きくてもよい。
前記サーボ制御領域と前記識別信号領域との間に、ギャップ部が設けられていてもよい。
書き換え可能な記録層を備えており、該記録層は、アモルファス状態と結晶状態とを取り得る相変化型材料から形成されていてもよい。
本発明による光学的情報記録再生装置であって、隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、該識別信号領域より該トラックに沿って先行する位置に配置され、該グルーブトラックおよび該ランドトラックの何れか一方の中心線に関して反対側にシフトしたウォブルピットを有するサーボ制御領域とを備えた光情報記録媒体に対して、光ビームを用いて、情報の記録／再生を行う光学的情報記録再生装置であって、該光ビームが該光情報媒体上に形成する光スポットが該トラック上を移動している間に、該光スポットの該中心線からのシフト量を検出し、該シフト量を示す第１の誤差信号を出力する第１のトラッキング誤差検出回路と、該光スポットが該サーボ制御領域を移動している間に、該ウォブルピットからの反射光強度を検出し、該光スポットの該中心線からのシフト量を検出し、該シフト量を示す第２の誤差信号を出力する第２のトラッキング誤差検出回路と該第２の誤差信号に基づいて該第１の誤差信号を補正した第３のトラッキング信号を出力する補正回路と、該第３のトラッキング信号に基づいて、トラッキングを行うトラッキング制御器とを備え、それにより上記目的を達成する。
本発明による光情報記録媒体は、隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、該識別信号領域より該トラックに沿って先行する位置に配置され、該グルーブトラックおよび該ランドトラックの何れか一方の中心線に関して反対側にシフトしたウォブルピットを有するサーボ制御領域とを備え、該ウォブルピットの始端を示す同期信号部が、該ウォブルピットの直前に配置されており、該同期信号部は、前記グルーブトラックまたは前記ランドトラックの中心線上に位置するピット列を含んでいる光情報記録媒体に対して、光ビームを用いて、情報の記録／再生を行う光学的情報記録再生装置であって、光源からの光ビームを該光情報記録媒体に照射する光学系と、該光ビームが該光情報記録媒体上に形成する光スポットを該トラックの延びる方向に沿って相対的に移動させる移送手段と、該光情報記録媒体からの該光ビームの反射光を、複数の受光部で受光し、電気信号に変換して光検出信号として出力する光検出手段と、該光検出信号から該識別信号を再生する識別信号読み取り手段と、該光スポットが該トラック上を移動している間に、該光スポットの該中心線からのシフト量を検出し、該シフト量を示す第１の誤差信号を出力する第１のトラッキング誤差検出回路と、該光スポットが該同期信号部上を移動するタイミングを該光検出信号から検出し、該タイミングを示す基準信号を出力する同期信号検出手段と、該光スポットが該サーボ制御領域を移動している間に、該基準信号と該光検出信号とに基づいて、該光スポットの該中心線からのシフト量を検出し、該シフト量を示す第２の誤差信号を出力する第２のトラッキング誤差検出回路と該第１の誤差信号および該第２の誤差信号に基づいて、第３の誤差信号を出力する合成手段と、該第３の誤差信号に基づいて、該光スポットが該トラック上を移動するように該移送手段を制御するトラッキング制御手段とを備えたことを特徴とし、それにより上記目的を達成する。
前記合成手段は、前記第１の誤差信号に前記第２の誤差信号を加算した結果を、前記第３の誤差信号として出力してもよい。
前記合成手段は、前記光スポットが前記識別信号領域を移動していることを検出し、該光スポットが該識別信号領域を移動している間、領域検出信号を出力する識別信号領域検出手段と、該領域検出信号が出力されている間、該第３の誤差信号を保持する誤差信号保持手段とを備えてもよい。
前記第２のトラッキング誤差検出手段は、前記基準信号が入力された時点から第一の時間間隔後における前記光検出信号の直流成分と、該時点から第二の時間間隔後における該光検出信号の直流成分との差分をとり、該差分から前記第２の誤差信号を生成してもよい。
前記光検出手段は、反射された前記光ビームを受光する面において、前記トラックを横切る方向に対称に配置され、受光した光量を電気信号に変換する２つの受光部を有し、前記第１のトラッキング誤差検出手段は、該２つの受光部が出力する電気信号の差を求める差演算手段を備え、前記第２のトラッキング誤差検出手段は、該２つの受光部が出力する該電気信号の和を求める和演算手段を備えていてもよい。
前記トラック上に情報信号を記録する記録手段と、前記識別信号領域には該情報信号を記録しないよう該記録手段を制御する記録制御手段とを備えてもよい。
本発明による光情報記録媒体は、隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列と、該ブリピット列より該トラックに沿って先行する位置に配置され、該プリピット列の識別情報を再生するための再生同期信号を示す複数のピットとを備え、該再生同期信号を示す複数のピットは、該グルーブトラックおよび該ランドトラックの何れか一方の中心線に関してシフトし、それにより上記目的を達成する。
前記グルーブトラックおよび前記ランドトラックは、複数のセクタに分割されており、前記識別信号を示すプリビット列は、対応するセクタのアドレス情報を示すアドレスピット列を含んでいてもよい。
本発明による光学的情報記録再生装置は、隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列と、該ブリピット列より該トラックに沿って先行する位置に配置され、該プリピット列の識別情報を再生するための再生同期信号を示す複数のピットと、を備え、該再生同期信号を示す複数のピットは、該グルーブトラックおよび該ランドトラックの何れか一方の中心線に関してシフトしている、光情報記録媒体に対して、光ビームを用いて、情報の記録／再生を行う光学的情報記録再生装置であって、該再生同期信号を示す複数のピットからトラッキングオフセットを補償する回路を備え、それにより上記目的を達成する。
本発明による光情報記録媒体は、ディスク基板上に、スパイラル状もしくは同心円状に形成されたグルーブとランドの両方を情報トラックとし、複数の情報トラックからなる少なくとも一つのゾーンからなる光情報記録媒体であって、該グルーブを少なくとも１周期蛇行させたサーボ制御領域と、識別信号を示すプリピットが、隣合う該グルーブと該ランドの一組に対して一つ配置され、該プリピットの一部もしくは全部の中心線を、該グルーブまたは該ランドの中心線に対して、情報トラックを横切る方向にずらした識別信号領域と、該識別信号領域とは別に、光ビームの照射によって情報信号が記録される情報信号領域を有したことを特徴とし、それにより上記目的を達成する。
本発明による光情報記録媒体は、隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、光ビームの照射によって情報信号が記録される情報信号領域とを備え該識別信号を示すプリピット列は、該隣接する２つのトラックからなる情報フィールドの順番を示すフィールド番号を示すフィールド番号プリピットと、該グルーブトラック及び該ランドトラックのうちの何れのトラック上を光ビームのスポットが移動しているかを検出するためのトラック識別プリピットとを含んでおり、該フィールド番号プリピットは、該情報フィールドに含まれる該２つのトラックの略境界線上に形成されており、該トラックに垂直な方向に沿ったフィールド番号プリピットの周期は、トラックピッチの２倍に設定され、トラック識別プリピットは、隣り合う２つの情報フィールドの略境界線上に形成されており、該トラックに垂直な方向に沿った該トラック識別プリピットの周期は、該トラックピッチの４倍に設定され、それにより上記目的を達成する。
前記トラック識別プリピットは、前記フィールド番号プリピット列と同一直線上に配置された第１のトラック識識別子と、該第１のトラック識別子に対して、トラック方向の前方に形成され、かつ、該トラックに垂直な方向に沿って隣接する該第１のトラック識別子の中間に配置された第２のトラック識別子とを含んでもよい。
アモルファス状態と結晶状態との間で状態変化を起こす相変化型記録層を備えていてもよい。
本発明による光学的情報記録再生装置は、隣接するグルーブトラックおよびランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列が形成された識別信号領域と、光ビームの照射によって情報信号が記録される情報信号領域とを備え、該識別信号を示すプリピット列は、該隣接する２つのトラックからなる情報フィールドの順番を示すフィールド番号を示すフィールド番号プリピットと、該グルーブトラック及び該ランドトラックのうちの何れのトラック上を光ビームのスポットが移動しているかを検出するためのトラック識別プリピットとを含んでおり、該フィールド番号プリピットは、該情報フィールドに含まれる該２つのトラックの略境界線上に形成されており、該トラックに垂直な方向に沿ったフィールド番号プリピットの周期は、トラックピッチの２倍に設定され、トラック識別プリピットは、隣り合う２つの情報フィールドの略境界線上に形成されており、該トラックに垂直な方向に沿った該トラック識別プリピットの周期は、該トラックピッチの４倍に設定されている光情報記録媒体に対して、光ビームを用いて、情報の記録／再生を行う光学的情報記録再生装置であって、光源からの光ビームを該光情報記録媒体に照射する光学系と、該光情報記録媒体で反射された光ビームを受光し、電気信号に変換して光検出信号として出力する光検出手段と、該光検出信号から該識別信号を読み出し、少なくとも該フィールド番号を出力する識別信号読み取り手段と、該トラック識別プリピットからの信号を検出した場合に、識別子検出信号を出力するトラック識別子検出手段と、を備え、それにより上記目的を達成する。
本発明による光情報記録媒体は、少なくとも一つのグルーブトラックを含む光情報記録媒体であって、該少なくとも一つのグルーブトラック上に情報を記録可能にし、または、該少なくとも一つのグルーブトラックから情報を再生可能にする光情報記録媒体であって、該少なくとも一つのグルーブトラックは、該少なくとも一つのグルーブトラックのトラック中心から蛇行し、一蛇行の長さは、ビームスポットの直径よりも長く、該ビームスポットのトラッキング制御が追随可能な最小の長さよりも短く、それにより上記目的を達成する。
本発明による光情報記録媒体は、隣接する少なくとも一つのグルーブトラックおよび少なくとも一つのランドトラックを有し、該グルーブトラックおよび該ランドトラックに対して情報の記録あるいは再生を行うことのできる光情報記録媒体であって、該グルーブトラックおよび該ランドトラックに関する識別情報を示すプリピット列と、該プリピット列より該グループトラックおよび該ランドトラックに沿って先行する位置に配置され、該プリピット列の識別情報を再生するための再生同期信号を示す複数のピットとを備え、該再生同期信号を示す複数のピットは、該グルーブトラックおよび該ランドトラックの何れか一方の中心線に関して反対側にシフトするように配置され、それにより上記目的を達成する。
前記グルーブトラックおよび前記ランドトラックは、複数のセクタに分割されており、前記識別信号領域にあるプリビット列は、対応するセクタのアドレス情報を示すアドレスピット列を含んでいてもよい。
本発明による光学的情報記録再生装置は、隣接する少なくとも一つのグルーブトラックおよび少なくとも一つのランドトラックを有し、該グルーブトラックおよび該ランドトラックに対して情報の記録あるいは再生を行うことのできる光情報記録媒体に光ビームで情報を記録／再生する光学的情報記録再生装置であって、該光情報記録媒体は、該グルーブトラックおよび該ランドトラックに関する識別情報を示すプリピット列と、該プリピット列より該グルーブトラックおよび該ランドトラックに沿って先行する位置に配置される複数のピットであって、該プリピット列の識別情報を再生するための再生同期信号を示す複数のピットとを備え、該再生同期信号を示す複数のピットは、該グルーブトラックと該ランドトラックとのいずれか一方の中心線に関して反対側にシフトするように配置され、該再生同期信号を示す複数のピットに基づいてトラッキングオフセットを補償する回路を備え、それにより上記目的を達成する。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】